(57)【要約】【課題】農業又は園芸に伴う作業に影響を及ぼすことなく、各支柱を確実に固定することができる農業・園芸用支柱の固定具を提供する。【解決手段】支柱を重ねた状態で収容可能な収容部を備えた固定具本体１２と、固定具本体１２に設けられ収容部１２Ａに収容された支柱同士を固定するための固定部１４と、を有し、固定具本体１２は、収容部１２Ａの一方端部側に設けられ固定部１４を保持する保持部１２Ｂと、収容部１２Ａの他方端部側に設けられ固定部１４が収容部１２Ａに収容された支柱Ｌ１、Ｌ２を押圧した状態で固定部１４と係合可能な係合部１２Ｃと、を備え、固定部１４は、保持部１２Ｂに保持された状態で係合部１２Ｃと係合することにより収容部１２Ａに収容された支柱同士が重ねられた状態で固定する。【選択図】      図１
0003182817.tif 000002
【実用新案登録請求の範囲】
【請求項１】
複数の支柱を固定するための農業・園芸用支柱の固定具であって、
前記支柱を重ねた状態で収容可能な収容部を備えた固定具本体と、
前記固定具本体に設けられ前記収容部に収容された前記支柱同士を固定するための固定部と、
を有し、
前記固定具本体は、前記収容部の一方端部側に設けられ前記固定部を保持する保持部と、前記収容部の他方端部側に設けられ前記固定部が前記収容部に収容された前記支柱を押圧した状態で前記固定部と係合可能な係合部と、を備え、
前記固定部は、前記保持部に保持された状態で前記係合部と係合することにより前記収容部に収容された前記支柱同士が重ねられた状態で固定することを特徴とする農業・園芸用支柱の固定具。
【請求項２】
前記固定具本体は、線材に対して線材加工を施すことによって形成され、
前記固定部は、線材に対して線材加工を施すことによって形成されていることを特徴とする請求項１に記載の農業・園芸用支柱の固定具。
【請求項３】
前記収容部は、第１方向に向かって突出するようにして形成された突出状部であり、
前記係合部は、前記第１方向に対して直交する第２方向に沿って直線的に延在した直線状部であり、
前記固定部は、前記直線状部の先端側から差し入れられて前記直線状部と係合することを特徴とする請求項１又は２に記載の農業・園芸用支柱の固定具。
【考案の詳細な説明】
【技術分野】
【０００１】
本考案は、例えば、農業・園芸用に使用する支柱を相互に固定するための農業・園芸用支柱の固定具に関する。
【背景技術】
【０００２】
従来の農業・園芸用支柱の固定具として、例えば、農竹に外嵌する２重巻きしたリングと、隣接する農竹に係止するための弾性を有する嘴部と、を一本の線材で一体に連接して構成したものが知られている（特許文献１参照）。
【０００３】
しかし、上記特許文献１の固定具では、嘴部に農竹を挟みつけなければならず、嘴部の離間寸法と農竹の半径寸法との関係で、制約が生じることになる。すなわち、嘴部の離間寸法に対して農竹の半径寸法が大きくなれば、嘴部に対して所定の外力を作用させて離間距離を広げなければならず、手間が著しく大きくなる。他方、嘴部の離間寸法に対して農竹の半径寸法が小さくなれば、嘴部で農竹を適切に挟みつけることができず、固定具として機能しない問題がある。
【０００４】
また、他の農業・園芸用支柱の固定具として、断面がＣ字状の短筒のＣの切れ目にあたる開口に、対向する側壁を付設して外方へ延ばし、同様な短筒を開口方向を同じくして筒軸方向が交差するように、上記側壁上に２つに分けて付設し、筒を外方へ延ばした構造に樹脂で一体に構成し、短筒の内面を粗面とするものが知られている（特許文献２参照）。
【先行技術文献】
【特許文献】
【０００５】
【特許文献１】実用新案登録第３０６０１５０号公報
【特許文献２】特開平８−２４２７００号公報
【考案の概要】
【考案が解決しようとする課題】
【０００６】
ところが、特許文献２の固定具では、各支柱が相互に略直交するように位置決めされる。このため、固定具における支柱の位置決めが、支柱の地面に対する傾斜角度等を制限することになり、かえって農業又は園芸に伴う作業が円滑に進まない問題が生じる。
【０００７】
そこで、本考案は、上記問題を解決するためのものであり、農業又は園芸に伴う各支柱の設置作業に影響を及ぼすことなく、各支柱を確実に固定することができる農業・園芸用支柱の固定具を提供することを目的とする。
【課題を解決するための手段】
【０００８】
本考案は、複数の支柱を固定するための農業・園芸用支柱の固定具であって、前記支柱を重ねた状態で収容可能な収容部を備えた固定具本体と、前記固定具本体に設けられ前記収容部に収容された前記支柱同士を固定するための固定部と、を有し、前記固定具本体は、前記収容部の一方端部側に設けられ前記固定部を保持する保持部と、前記収容部の他方端部側に設けられ前記固定部が前記収容部に収容された前記支柱を押圧した状態で前記固定部と係合可能な係合部と、を備え、前記固定部は、前記保持部に保持された状態で前記係合部と係合することにより前記収容部に収容された前記支柱同士が重ねられた状態で固定することを特徴とする。
【０００９】
前記固定具本体は、線材に対して線材加工を施すことによって形成され、前記固定部は、線材に対して線材加工を施すことによって形成されていることが好ましい。
【００１０】
前記収容部は、第１方向に向かって突出するようにして形成された突出状部であり、前記係合部は、前記第１方向に対して直交する第２方向に沿って直線的に延在した直線状部であり、前記固定部は、前記直線状部の先端側から差し入れられて前記直線状部と係合することが好ましい。
【考案の効果】
【００１１】
本考案によれば、固定部が保持部に保持された状態で係合部と係合することにより、収容部に収容された支柱同士が重ねられた状態で固定される。これにより、支柱を先に地面に突き立てた状態で、支柱同士を容易に固定することができる。
【００１２】
また、固定具本体が線材に対して線材加工を施すことによって形成され、固定部が線材に対して線材加工を施すことによって形成されている。このため、両者を１本の線材だけで構成することができる。これにより、部品点数を削減でき、製造コストを低減することができる。
【００１３】
また、収容部が第１方向に向かって突出するようにして形成された突出状部であり、係合部が第１方向に対して直交する第２方向に沿って直線的に延在した直線状部である。そして、固定部は、直線状部の先端側から差し入れられて直線状部と係合する。これにより、いわゆるワンタッチ操作により、固定部と係合部を係合させることができるため、支柱の固定作業が極めて容易になる。
【図面の簡単な説明】
【００１４】
【図１】本考案の一実施形態の農業・園芸用支柱の固定具の斜視図である。
【図２】（Ａ）は本考案の一実施形態の農業・園芸用支柱の固定具を構成する固定具本体の構成図であり、（Ｂ）は固定部の構成図である。
【図３】本考案の一実施形態の農業・園芸用支柱の固定具で２本の支柱を固定した状態を斜め方向から見た説明図である。
【図４】本考案の一実施形態の農業・園芸用支柱の固定具によって収容部内で交差した２本の支柱を固定した状態を平面方向から見た説明図である。
【図５】本考案の一実施形態の農業・園芸用支柱の固定具の収容部内で交差した２本の支柱と固定部との間における力学原理を示した説明図である。
【考案を実施するための形態】
【００１５】
本考案の第１実施形態に係る農業・園芸用支柱の固定具について、図面を参照して説明する。
【００１６】
図１乃至図４に示すように、農業・園芸用支柱の固定具１０は、複数の支柱Ｌ１、Ｌ２を相対的に固定するためのものであって、主として、支柱Ｌ１、Ｌ２同士を重ねた状態で収容可能な収容部１２Ａを備えた固定具本体１２と、固定具本体１２に設けられ収容部１２Ａに収容された支柱同士を固定するための固定部１４と、を有している。
【００１７】
固定具本体１２は、弾性力を備えた１本の金属製の線材に対して線材加工(例えば、曲げ加工等)を施して形成されている。
【００１８】
固定具本体１２は、収容部１２Ａの一方端部側に設けられ固定部１４を保持する保持部１２Ｂと、収容部１２Ａの他方端部側に設けられ固定部１４が収容部１２Ａに収容された支柱Ｌ１、Ｌ２を押圧した状態で固定部１４と係合可能な係合部１２Ｃと、を有している。
【００１９】
収容部１２Ａは、第１方向（図１中矢印Ｘ方向）に向かって突出するようにして形成された突出状部である。
【００２０】
詳細には、収容部１２Ａは、第１方向（図１中矢印Ｘ方向）に向かって直線的に延在する第１奥行き直線部１２Ａ１と、第１奥行き直線部１２Ａ１に連続して形成された大径湾曲部１２Ａ２と、大径湾曲部１２Ａ２に連続して形成され第１奥行き直線部１２Ａ１に対して平行となるように直線的に延在する第２奥行き直線部１２Ａ３と、を有している。
【００２１】
ここで、第１奥行き直線部１２Ａ１及び第２奥行き直線部１２Ａ３の長さ及び離間距離は、収容される支柱Ｌ１、Ｌ２の径寸法との関係で調整されている。換言すれば、２本の支柱Ｌ１、Ｌ２が前後方向(奥行き方向)に重なるようにして収容部１２Ａに収容されたときに収容部１２Ａの入り口側に位置する支柱Ｌ１、Ｌ２と係合部１２Ｃとによって固定部１４をサンドイッチ構造のように所定の圧力で挟持可能となるように設定されている。
【００２２】
具体的には、一例として、図４及び図５に示すように、２本の支柱Ｌ１、Ｌ２が前後方向(奥行き方向)に重なるようにして収容部１２Ａに収容されたときに収容部１２Ａの入り口側に位置する支柱Ｌ１の外周面と係合部１２Ａとの最短離間距離Ｑが、固定部１４の長辺部１４Ａの厚み寸法Ｒよりも僅かに短くなるように設定されている。
【００２３】
係合部１２Ｃは、第１方向（図１中矢印Ｘ方向）に対して直交する第２方向（図１中矢印Ｙ方向）に沿って直線的に延在した直線状部１２Ｃ１である。詳細には、係合部１２Ｃは、第１奥行き直線部１２Ａ１に連続して形成され、上下方向（第２方向）に直線的に延在した１本の棒状部が採用される。
【００２４】
なお、係合部１２Ｃは、上下方向に垂直に延びる形態に限られるものではなく、例えば、収容部側へ所定の傾斜角度をもって傾斜している構成でもよい。
【００２５】
係合部１２Ｃと第１奥行き直線部１２Ａ１との連続部位には、係合部１２Ｃの自由端側と反対側に突出するように凹ませたあそび部１６が形成されている。あそび部１６には、固定部１４が載置可能になっている。敢えてあそび部１６を設けることにより、固定部１４と係合部１２Ｃとの接触状態を適切に調整することができるとともに、固定部１４が係合部１２Ｃから抜け出て係合部１２Ｃとの係合が解除することを防止する等、様々な効果を得ることができる。
【００２６】
なお、あそび部１６は必須の構成要素とする趣旨ではなく、あそび部１６が設けられていない態様でもよい。
【００２７】
保持部１２Ｂは、大径湾曲部１２Ａ２の突出側と反対側に湾曲した小径湾曲部１２Ｂ１で構成されている。詳細には、保持部１２Ｂは、第２奥行き直線部１２Ａ３に連続して形成されている。保持部１２Ｂの端部と収容部１２Ａの第２奥行き直線部１２Ａ３との間には、所定の隙間Ｐが形成されている。この隙間Ｐから固定部１４が挿入されて、固定部１４と保持部１２Ｂとの係合が可能になる。
【００２８】
なお、図では、小径湾曲部１２Ｂ１の曲率半径が大径湾曲部１２Ａ２の曲率半径よりも小さくなるように設定されている。換言すれば、小径湾曲部１２Ｂ１の曲率が大径湾曲部１２Ａ２の曲率よりも大きくなるように設定されている。当然ながら、曲率半径及び曲率の大小は、前記関係に限定される趣旨ではない。
【００２９】
固定具本体１２を構成する収容部１２Ａ、係合部１２Ｃ及び保持部１２Ｂは、例えば１本の金属製の線材に対して適宜曲げ加工などの線材加工を施して、一体として連続した構成になっている。
【００３０】
固定部１４は、保持部１２Ｂに保持された状態で係合部１２Ｃと係合することにより収容部１２Ａに収容された支柱同士が重ねられた状態で固定可能にするものである。
【００３１】
固定部１４は、例えば平面視にて楕円形状に形成されており直線状に延びた相対する一対の長辺部１４Ａと、各長辺部１４Ａ同士を連結する湾曲状の連結部１４Ｂと、各長辺部１４Ａの端部に位置して湾曲したエンド部１４Ｃと、を有している。
【００３２】
固定部１４を構成する各長辺部１４Ａ、連結部１４Ｂ及びエンド部１４Ｃは、例えば弾性力を備えた１本の金属製の線材に対して適宜曲げ加工などの線材加工を施して、一体として連続した構成になっている。
【００３３】
ここで、保持部１２Ｂの端部と収容部１２Ａの第２奥行き直線部１２Ａ３との間に形成された隙間Ｐから固定部１４が挿入されて固定部１４と保持部１２Ｂとが係合する。このとき、固定部１４の各長辺部１４Ａの間に保持部１２Ｂの端部が係合しているため、固定部１４が保持部１２Ｂから位置決めの規制を受けず、固定部１４の姿勢を自在に変えることが可能になっている。
【００３４】
また、図３に示すように、固定部１４が姿勢を変えて係合部１２Ｃ側に延在した状態では、固定部１４の端部が係合部１２Ｃを超えて収容部１２Ａから突出する位置に到達する。このとき、係合部１２Ｃが固定部１４の各長辺部１４Ａと接触している。
【００３５】
次に、農業・園芸用支柱の固定具１０を用いて各支柱を固定する方法について説明する。以下の説明では、２本の農業・園芸用の支柱Ｌ１、Ｌ２を固定する態様を一例として挙げて、説明する。
【００３６】
図３及び図４に示すように、２本の支柱Ｌ１、Ｌ２を固定具本体１２の収容部１２Ａに収容する。２本の支柱Ｌ１、Ｌ２を収容部１２Ａへ収容する際には、収容部１２Ａの第１奥行き直線部１２Ａ１及び第２奥行き直線部１２Ａ３との間に２本の支柱Ｌ１、Ｌ２が奥行き方向に重なるようにして収容される。
【００３７】
なお、農業用の支柱同士を固定する場合には、２本の支柱Ｌ１、Ｌ２は、予め、その一方側の端部が地面等に突き立てられた状態になっている。そして、２本の支柱Ｌ１、Ｌ２の他方側の端部が収容部１２Ａに収容される。
【００３８】
そして、固定部１４を係合部１２Ｃにかけるようにして両者を係合させる。このとき、固定部１４の各長辺部１４Ａが収容部１２Ａに収容された２本の支柱Ｌ１、Ｌ２のうち入り口側に位置する支柱Ｌ１と接触する。
【００３９】
そして、固定部１４の各長辺部１４Ａが支柱Ｌ１に対して所定の弾性力を作用させるとともに、その反作用力が支柱Ｌ１から各長辺部１４Ａに対して作用する。これにより、力学的には、固定部１４の各長辺部１４Ａが弾性変形(圧縮変形)する。また、逆に、支柱側も僅かに弾性変形(圧縮変形)する。なお、図５では、両者が弾性変形(圧縮変形)した後、固定部１４の各長辺部１４Ａの位置を点線で示している。
【００４０】
固定部１４は、支柱Ｌ１側からの反作用力(反発力)を受ける形で、係合部１２Ｃと係合する。この結果、固定部１４が係合部１２Ｃと係合した状態では、固定部１４の各長辺部１４Ａの先端部近傍には係合部１２Ｃからの所定の圧力(係合圧力)が作用し、固定部１４の各長辺部１４Ａの中央には支柱Ｌ１からの所定の圧力(支柱圧力)が作用する。なお、前記係合圧力の向きと前記支柱圧力の向きは、相互に対抗しており、反対向きである。
【００４１】
このように、固定部１４が係合部１２Ｃと係合することにより収容部１２Ａに収容された２本の支柱Ｌ１、Ｌ２には、固定部１４からの圧力が作用し続け、支柱同士が相互に固定される。また、固定部１４と係合部１２Ｃとの係合が維持された状態では、２本の支柱Ｌ１、Ｌ２同士の固定状態が維持される。なお、図３では、２本の支柱Ｌ１、Ｌ２は、相互に交差した状態で固定されている。
【００４２】
詳細には、図５に示すように、固定部１４の各長辺部１４Ａの中央側には、支柱Ｌ１からの圧力（反作用力）Ｓが作用する。同時に、固定部１４の一方端部側には、係合部１２Ｃからの圧力（係合力）Ｔが作用する。また同時に、固定部１４の他方端部側には、保持部１２Ｂからの圧力（反作用力（静止摩擦力も含む））Ｕが作用する。このうち、係合部１２Ｃからの圧力Ｔと保持部１２Ｂからの圧力Ｕが同じ方向に作用しており、支柱Ｌ１からの圧力Ｓがそれらの反対方向に作用している。すなわち、支柱Ｌ１からの圧力Ｓに対して、係合部１２Ｃからの圧力Ｔと保持部１２Ｂからの圧力Ｕとが対抗した力学状態になっている。
【００４３】
図５に示す力学状態が成立している場合には、農業・園芸用支柱の固定具１０が屋外に設置され、長期間、風雨に曝されている環境においても、固定部１４が不意に係合部１２Ｃから外れて両者の係合状態が解消することは生じない。この結果、支柱Ｌ１、Ｌ２の固定状態を長期間維持することができる。  
【００４４】
なお、図４及び図５に示す２本の支柱Ｌ１、Ｌ２の位置関係は、一例に過ぎず、これに限定される趣旨ではない。また、収容部１２Ａには、２本の支柱Ｌ１、Ｌ２が収容されている態様を示したが、２本に限定されるものではなく、３本以上の複数の支柱を収容して相互に固定してもよい。さらに、２本の支柱Ｌ１、Ｌ２の位置及び相対的な関係については、２本の支柱Ｌ１、Ｌ２の断面形状・径寸法や、２本の支柱Ｌ１、Ｌ２の交差点と固定部１４との位置関係によって変わり得る。
【００４５】
本実施形態によれば、２本の支柱Ｌ１、Ｌ２を先に地面に突き立てた状態で、支柱同士を容易に固定することができる。換言すれば、２本の支柱Ｌ１、Ｌ２が農業・園芸用支柱の固定具側の規制を受けることなく、各支柱Ｌ１、Ｌ２が様々な傾斜角度をもった状態で支柱同士を固定することが可能になる。
【００４６】
固定部１４が係合部１２Ｃの先端側から差し入れられて係合部１２Ｃと係合する。これにより、いわゆるワンタッチ操作により、固定部１４と係合部１２Ｃとを係合させることができるため、各支柱Ｌ１、Ｌ２の固定作業が極めて容易になる。
【００４７】
特に、固定具本体１２が線材に対して線材加工を施すことによって形成され、固定部１４が線材に対して線材加工を施すことによって形成されている。このため、両者を１本の線材だけで構成することができる。これにより、部品点数を削減でき、製造コストを低減することができる。
【符号の説明】
【００４８】
１０      農業・園芸用支柱の固定具
１２      固定具本体
１２Ａ    収容部
１２Ａ１  第１奥行き直線部
１２Ａ２  大径湾曲部
１２Ａ３  第２奥行き直線部
１２Ｂ    保持部
１２Ｂ１  小径湾曲部
１２Ｃ    係合部
１２Ｃ１  直線状部
１４      固定部
１４Ａ    長辺部
１４Ｂ    連結部
１４Ｃ    エンド部
１６      あそび部
Ｌ１      支柱
Ｌ２      支柱
【図１】
0003182817.tif 000003
【図２】
0003182817.tif 000004
【図３】
0003182817.tif 000005
【図４】
0003182817.tif 000006
【図５】
0003182817.tif 000007